(57)【要約】【課題】グロメットの小径筒部を拡げ治具で拡大してワイヤハーネスを貫通させた後に拡げ治具の拡開棒を抜き取る際に、小径筒部の先端が折り返されて小径筒部の中空部に入り込まないグロメットを提供する。【解決手段】車両に配索するワイヤハーネスを密着させて挿通する小径筒部２と、該小径筒部２の一端と連続する拡径筒部３と、該拡径筒部３の大径側の外周面に車体パネルの貫通穴に嵌合する環状の車体係止凹部とを備えた弾性材からなるグロメットであって、ワイヤハーネスの挿通作業時に拡げ治具の拡開棒２１が挿入されて押し広げられる小径筒部２の少なくとも先端側を外拡がりとしている。【選択図】図１
2010115028.tif 000002
【特許請求の範囲】
【請求項１】
車両に配索するワイヤハーネスを密着させて挿通する小径筒部と、該小径筒部の一端と連続する拡径筒部と、該拡径筒部の大径側の外周面に車体パネルの貫通穴に嵌合する環状の車体係止凹部とを備えた弾性材からなるグロメットであって、
前記ワイヤハーネスの挿通作業時に拡げ治具の拡開棒が挿入されて押し広げられる前記小径筒部の少なくとも先端側を外拡がりとしていることを特徴とするグロメット。
【請求項２】
前記小径筒部は前記拡径筒部との連続点から突出する先端までの長さ方向の全長を外拡がり形状とし、あるいは前記拡径筒部との連続点から突出端の途中までは同一内径とし、途中から先端側に向けて外拡がり形状としている請求項１に記載のグロメット。
【請求項３】
前記小径筒部の外拡がり部分の傾斜角度は１°〜３０°としている請求項１または請求項２に記載のグロメット。
【請求項４】
前記小径筒部の突出端にはワイヤハーネス固定用のテープ巻き舌片を突設している請求項１乃至請求項３のいずれか１項に記載のグロメット。
【発明の詳細な説明】
【技術分野】
【０００１】
本発明は、グロメットに関し、詳しくは、車両に配索するワイヤハーネスに取り付け、車体パネルの貫通穴に装着して防水および防塵を図るグロメットに関するものである。
【背景技術】
【０００２】
この種のグロメットは、ゴムまたはエラストマーから一体成形され、通常、図７に示すように、電線群からなるワイヤハーネスＷ／Ｈを密着して挿通する小径筒部１００と、該小径筒部１００の一端と連続する拡径筒部１０１を備え、該拡径筒部１０１の大径側の外周面に車体パネルの貫通穴の周縁に嵌合する車体係止凹部１０２を環状に設けた構成とされている。
【０００３】
前記小径筒部１００の内径はワイヤハーネスＷ／Ｈに密着させるため、ワイヤハーネスの外径に対して非常に小さく設定されている。該グロメットへのワイヤハーネスの貫通作業は、特開平１１−２１５６５９号公報等に開示されているように、拡げ治具を用いて行っている。
具体的には、図８（Ａ）に示すように、拡げ治具の複数の拡開棒１１０を拡径筒部１０１の大径端側より小径筒部１００内に挿入し、こられ拡開棒１１０を次第に離反する方向に移動させることにより小径筒部１００を拡径している。この状態で、ワイヤハーネスＷ／Ｈを挿通させ、挿通後は図８（Ｂ）に示すように拡開棒１１０を元の近接する位置に戻している。その後、図８（Ｃ）に示すように、拡径筒部１０１側へと拡開棒１１０を引き抜いている。
【０００４】
【特許文献１】特開平１１−２１５６５９号
【発明の開示】
【発明が解決しようとする課題】
【０００５】
前記図８（Ｃ）に示す小径筒部１００を元の状態に縮径した状態で拡開棒１１０を引き抜く際、小径筒部１００の内周面が拡開棒１１０に密着しているため、該小径筒部１００の先端部分１００ａが、拡開棒１１０の引き抜きに応じて折り返し状となって、内側に入り込み、図８（Ｄ）に示す状態となる場合がある。
このように、小径筒部１００の先端部分１００ａが小径筒部１００の中空部内に入り込んだ状態となると、この入り込んだ先端部分１００ａを引っ張り出す作業が必要となる。該小径筒部の先端部分１００ａを引っ張り出した後に、図８（Ｅ）に示すように、小径筒部の先端部分１００ａの外周面からワイヤハーネスＷ／Ｈの外周面にかけて粘着テープＴを巻き付けてワイヤハーネスＷ／Ｈをグロメットと固着している。
【０００６】
前記のように、小径筒部の先端部分１００ａが内側に入り込んだ状態となると、これを引っ張り出す作業が必要となり、該作業は、ワイヤハーネスの電線群が小径筒部１００の内周面に密着しているため、非常に難作業となり、作業時間がかかる問題がある。
【０００７】
小径筒部１００は、前記のように筒状としている場合以外に、図９（Ａ）に示す半割れ形状、図９（Ｂ）に示すように、円筒の小径筒部の先端から一対のテープ巻き舌片１０３を突出させた形状、図９（Ｃ）に示す筒状とした小径筒部１００の先端から１つのテープ巻き舌片１０４を突出させた場合もある。
【０００８】
前記図９（Ｃ）の場合は、小径筒部１００の先端まで拡開棒１１０を挿入し、テープ巻き舌片１０４の位置まで拡開棒１１０を突出させなければ、テープ巻き舌片１０４が内側に入り込むことは防止できる。しかしながら、該テープ巻き舌片１０４にワイヤハーネスＷ／Ｈをテープ巻き固着すると、固着力が低下する問題があり、ワイヤハーネスとのテープ巻きで最も固着力が発揮できるのは、前記図７に示す筒状とした場合である。
一方、前記図９（Ａ）（Ｂ）の形状とした場合にも、図７の円筒状の小径筒部とした場合と同程度に、小径筒部１００の先端部分１００ａが、拡開棒１１０の引き抜き時に連動して内側に入り込む場合が多い。
【０００９】
本発明は、前記問題に鑑みてなされたもので、小径筒部の先端部分が拡げ治具の拡開棒の引き抜き時に小径筒部の先端が折り返されて小径筒部の中空部に入り込むことを防止し、該入り込んだ小径筒部の先端部分の引っ張り出し作業を不要とすることを課題としている。
【課題を解決するための手段】
【００１０】
前記課題を解決するため、本発明は、車両に配索するワイヤハーネスを密着させて挿通する小径筒部と、該小径筒部の一端と連続する拡径筒部と、該拡径筒部の大径側の外周面に車体パネルの貫通穴に嵌合する環状の車体係止凹部とを備えた弾性材からなるグロメットであって、
前記ワイヤハーネスの挿通作業時に拡げ治具の拡開棒が挿入されて押し広げられる前記小径筒部の少なくとも先端側を外拡がりとしていることを特徴とするグロメットを提供している。
【００１１】
前記のように、小径筒部の先端側を外拡がり形状とすると、拡げ治具の拡開棒を小径筒部の先端側まで挿入して小径筒部を拡大してワイヤハーネスを挿通した状態で、ワイヤハーネスの外周と外拡がり形状とした小径筒部の先端側との間の密着強度を低減できる。あるいは、ワイヤハーネスとの間に僅かな隙間が発生する場合もある。これにより、拡開棒を引き抜く際に、外拡がりとして小径筒部の先端側が拡開棒に密着して折り返されて小径筒部の中空部内に入り込まないようにすることができる。これにより、小径筒部内に折り返されて入り込んだ先端側を引っ張り出す難作業を行う必要はなく、グロメットとワイヤハーネスとのテープ巻き作業性を高めることができる。
【００１２】
前記小径筒部は前記拡径筒部との連続点から突出する先端までの長さ方向の全長を外拡がり形状とし、あるいは前記拡径筒部との連続点から突出端の途中までは同一内径とし、途中から先端側に向けて外拡がり形状としている。
小径筒部の長さは、通常、比較的短いため、前記した拡径筒部との連続点から突出する先端までの長さ方向を外拡がり形状とすることが好ましい。この場合、拡径筒部との連続点でワイヤハーネスと強く密着できると共に、外拡がり形状とした部分は先端側に向けて密着度は低下するため、問題となる先端の折り返しを防止できる。
一方、小径筒部の途中から外拡がりとした場合は、拡開棒で小径筒部を押し拡げる際に、該拡開棒の先端を外拡がりとなる位置までとし、先端側の外拡がりとなる部分には拡開棒を挿入しなくとも、外拡がり部分を拡径することができる。この場合には、確実に先端側の外拡がり部分が折り返されて小径筒部内に入り込むことが防止できる。
【００１３】
前記小径筒部の外拡がり部分の傾斜角度は１°〜３０°とすることが好ましい。
該傾斜角度はワイヤハーネスを小径筒部に挿通した状態で、ワイヤハーネスの外径との密着度の関係で選択され、拡げ治具の拡開棒を引き抜く際に、該拡開棒に密着して折り返えされない程度の傾斜角度としている。好ましくは５〜３０゜、特に、１０〜３０゜が好ましい。
【００１４】
前記小径筒部は、その突出端にワイヤハーネス固定用のテープ巻き舌片を突設させてもよい。その場合には、外拡がりとした小径筒部の先端から対向した位置に一対のテープ巻き舌片を突設することが好ましい。
【発明の効果】
【００１５】
前述したように、本発明のグロメットでは、ワイヤハーネスの外周に密着させる小径筒部を先端に向けて外拡がりとしているため、該小径筒部に挿入した拡げ治具の拡開棒を引き抜く際に、小径筒部の先端が折り返されて小径筒部内に入り込むのを防止できる。そのため、折り返された部分を引っ張り出す作業を無くすことができ、ワイヤハーネスへのグロメットの装着作業性を高めることができる。
【発明を実施するための最良の形態】
【００１６】
以下、本発明のグロメットの実施形態を図面を参照して説明する。
図１乃至図４に第一実施形態を示す。
【００１７】
グロメット１はゴムまたはエラストマーからなる弾性材料で一体成形しており、本実施形態のグロメット１は、自動車のエンジンルームから車室へと配索するワイヤハーネス１０に外装し、エンジンルームと車室とを仕切る車体パネルの貫通穴に装着されるものである。
【００１８】
グロメット１は図１および図２に示すように、小径筒部２の一端に拡径筒部３の小径端が連続し、該拡径筒部３の大径側外周面に環状の車体係止凹部４を備えている。
小径筒部２は拡径筒部３の連結端２ａから突出端２ｂにかけて、長さ方向Ｌの全長で、次第に外拡がり状に傾斜させた円錐筒形状としている。
該外拡がりとした傾斜角度θは５゜〜３０゜とし本実施形態では２０゜としている。
前記小径筒部２の長さＬは５〜４０ｍｍ、小径筒部２の肉厚は１〜３ｍｍ程度としている。
【００１９】
前記突出端２ｂに向けて外拡がり形状とした小径筒部２の内径は、拡径筒部との連結端２ａが最小となり、該最小部の内径ｄ１は挿通するワイヤハーネス１０の外径の１／２〜３／２程度としている。
【００２０】
また、小径筒部２の突出端２ｂの外周には環状リブ２ｃを突設している。
【００２１】
拡径筒部３の大径側端には内周面から閉鎖壁５を突設し、該閉鎖壁５の中央部に直径方向のスリット６を設けて２分割し、該スリット６の中央にワイヤハーネスの貫通穴７を設け、該貫通穴７の周縁より半割れ状としたテープ巻き舌片８Ａ、８Ｂを突設している。
【００２２】
前記グロメット１にワイヤハーネス１０を貫通させる作業時には、前記のように、小径筒部２の内径をワイヤハーネス１０の外径より小さく設定しているため、前記図３に示す従来例と同様に拡げ治具２０を用いている。
【００２３】
拡げ治具２０は作業台３０上に固定され、周方向に間隔をあけて平行に配置する４本の棒状の拡開棒２１（２１Ａ〜２１Ｄ）をリンク２２で連結して、４本の拡開棒２１を近接離反作動させる構成とされている。
【００２４】
以下に、拡げ治具２０を用いてグロメット１へのワイヤハーネス１０の貫通作業について説明する。
図４（Ａ）に示すように、作業台３０上に固定された拡げ治具２０に対向してグロメット１を配置し、グロメット１の拡径筒部３の大径側を拡開棒２１の突出側に向け、該大径側に設けたスリット６を押し広げて４本の拡開棒２１を拡径筒部３に通し、グロメット１を拡げ治具２０側に向けて前進させることにより、拡開棒２１を小径筒部２内に挿入していく。該拡開棒２１の先端を小径筒部２の突出端２ｂまで位置させて、グロメット１を停止する。
【００２５】
ついで、拡げ治具２０の４本の拡開棒２１を互いに離反する方向に拡げていく。これに伴い、小径筒部２の中空部が押し広げられる。其の際、拡径筒部との連結端２ａが最も押し広げられ、外拡がりとした突出端２ｂ側も、ワイヤハーネス１０の外径の５〜８倍程度まで押し広げられる。
【００２６】
このように、小径筒部２が拡げられた状態で、図４（Ｂ）に示すように、ワイヤハーネス１０を小径筒部２、拡径筒部３の内部に貫通させる。
【００２７】
ワイヤハーネス１０の貫通作業終了後に、図４（Ｃ）に示すように、拡げ治具２０の拡開棒２１が互いに近接するように狭め、ワイヤハーネス１０の外周に４本の拡開棒２１を介在させた状態で小径筒部２の内周面を密着させる。其の際、小径筒部２は突出端２ｂに向けて外拡がり形状としているため、突出端２ｂに向かうに従って拡開棒２１に対する小径筒部２の内周面の密着力は小さくなる。なお、ワイヤハーネス１０の外径が小さく且つ小径筒部２の外拡がりの傾斜角度を大きくしている場合には、突出端２ｂ側では、その内周面と拡開棒２１との間に微小な隙間が発生する。
【００２８】
この状態で、図４（Ｄ）に示すように、ワイヤハーネス１０を通したグロメット１を、ワイヤハーネス１０と共に拡げ治具２０より離れる方向にひっぱり、拡開棒２１をグロメット１より引き抜く。
この拡開棒２１をグロメット１より引き抜く時、小径筒部２の突出端２ｂと拡開棒２１との密着力を低くし、あるいは微小な隙間をあけているため、拡開棒２１の移動に小径筒部の突出端２ｂが追従するのを防止できる。よって、小径筒部２の突出端２ｂが折り返されて小径筒部２の中空部に入り込むのを防止できる。
【００２９】
前記のように、ワイヤハーネス１０をグロメット１に貫通した後、図４（Ｅ）に示すように、ワイヤハーネス１０は小径筒部２の突出端２ｂ側と粘着テープＴでテープ巻き固着している。グロメット１の他端側でも、同様に、テープ巻き舌片８Ａ、８Ｂからワイヤハーネス１０にかけて粘着テープを巻き付けてテープ巻き固着している。
【００３０】
このように、本実施形態のグロメット１は小径筒部２を突出端２ｂに向けて外拡がり形状としていることで、拡げ治具２０の拡開棒２１を抜き取る際に小径筒部２の突出端２ｂが折り返されて小径筒部２の中空部内に入り込むのを防止できる。よって、入り込んだ突出端を引っ張り出す作業を無くすことができ、ワイヤハーネスへのグロメットの取付作業性を高めることができる。
【００３１】
図５に第二実施形態のグロメットを示す。
第二実施形態のグロメットの小径筒部２は、拡径筒部３との連続点２ａから突出端２ｂの途中点２ｐまでは一定の内径とし、途中点２ｐから突出端２ｂの間で外拡がり形状としている。
他の構成および作用は第一実施形態と同様であるため、同一符号を付して説明を省略する。
【００３２】
図６に第三実施形態のグロメットを示す。
第三実施形態のグロメットでは、第一実施形態と同様とした小径筒部２の突出端２ｂの先端に、直径方向に対向した位置に一対のワイヤハーネス固定用のテープ巻き舌片９Ａ、９Ｂを突設している。
該グロメットでは、貫通したワイヤハーネスの両側に前記テープ巻き舌片９Ａ、９Ｂが位置し、これらのテープ巻き舌片９Ａ、９Ｂとワイヤハーネスの外周面に粘着テープを巻き付けて固着している。
他の構成および作用は第一実施形態と同様であるため、同一符号を付して説明を省略する。
【図面の簡単な説明】
【００３３】
【図１】本発明の第一実施形態のグロメットの断面図である。
【図２】要部斜視図である。
【図３】拡げ治具を示し、（Ａ）は拡開棒を閉じた状態の斜視図、（Ｂ）は拡開棒を拡げた状態の斜視図である。
【図４】（Ａ）〜（Ｅ）はグロメットへのワイヤハーネスの貫通作業の工程を示す図面である。
【図５】第二実施形態のグロメットの断面図である。
【図６】第三実施形態のグロメットの要部斜視図である。
【図７】従来のグロメットの断面図である。
【図８】（Ａ）〜（Ｅ）は従来のグロメットへのワイヤハーネスの貫通作業および問題点を示す図面である。
【図９】（Ａ）〜（Ｃ）は従来のグロメットを示す要部斜視図である。
【符号の説明】
【００３４】
１  グロメット
２  小径筒部
２ａ  拡径筒部との連結点
２ｂ  突出端
３  拡径筒部
１０  ワイヤハーネス
２０  拡げ治具
２１（２１Ａ〜２１Ｄ）  拡開棒
【図１】
2010115028.tif 000003
【図２】
2010115028.tif 000004
【図３】
2010115028.tif 000005
【図４】
2010115028.tif 000006
【図５】
2010115028.tif 000007
【図６】
2010115028.tif 000008
【図７】
2010115028.tif 000009
【図８】
2010115028.tif 000010
【図９】
2010115028.tif 000011